(57)【要約】【課題】タグを用いて情報を提供するシステムにおいては、１つのタグ情報から取得可能な情報が限られてしまう場合がある、という問題を解決すること。【解決手段】タグが有するタグ情報を読み取るタグ情報読取部と、前記タグ情報読取部が前記タグ情報を読み取った際の自装置の状態を示す状態情報を取得する状態情報取得部と、前記タグ情報と前記状態情報とに基づいて、当該タグ情報と当該状態情報とに対応付けられている対応情報を取得する対応情報取得部と、を有する。【選択図】図１
2017117077.tif 000002
【特許請求の範囲】
【請求項１】
タグが有するタグ情報を読み取るタグ情報読取部と、
前記タグ情報読取部が前記タグ情報を読み取った際の自装置の状態を示す状態情報を取得する状態情報取得部と、
前記タグ情報と前記状態情報とに基づいて、当該タグ情報と当該状態情報とに対応付けられている対応情報を取得する対応情報取得部と、
を有する
情報取得装置。
【請求項２】
請求項１に記載の情報取得装置であって、
前記状態情報取得部は、前記状態情報として、前記タグ情報読取部が前記タグ情報を読み取った際の自装置の姿勢を示す姿勢情報を取得し、
前記対応情報取得部は、前記タグ情報と前記姿勢情報とに基づいて、当該タグ情報と当該姿勢情報とに対応付けられている前記対応情報を取得する
情報取得装置。
【請求項３】
請求項２に記載の情報取得装置であって、
前記状態情報取得部は、前記姿勢情報として、前記タグに対する自装置の向きを示す情報である相対的姿勢情報を取得する
情報取得装置。
【請求項４】
請求項２又は３に記載の情報取得装置であって、
前記状態情報取得部は、前記姿勢情報として、自装置のみによって定まる絶対的姿勢情報を取得する
情報取得装置。
【請求項５】
請求項２乃至４の何れかに記載の情報取得装置であって、
前記状態情報取得部は、前記姿勢情報として、前記取得対象から前記タグ情報を読み取った際の自装置の姿勢の変化を示す姿勢変化情報を取得する
情報取得装置。
【請求項６】
請求項１乃至５の何れかに記載の情報取得装置であって、
前記タグ情報と前記状態情報とを外部装置に送信する送信部を有し、
前記対応情報取得部は、前記外部装置から、前記タグ情報と前記状態情報とに対応付けられている前記対応情報を取得する
情報取得装置。
【請求項７】
タグが有するタグ情報を読み取り、
前記タグ情報を読み取った際の自装置の状態を示す状態情報を取得し、
前記タグ情報と前記状態情報とに基づいて、当該タグ情報と当該状態情報とに対応付けられている対応情報を取得する
情報取得方法。
【請求項８】
情報処理装置に、
タグが有するタグ情報を読み取るタグ情報読取手段と、
前記タグ情報読取手段が前記タグ情報を読み取った際の自装置の状態を示す状態情報を取得する状態情報取得手段と、
前記タグ情報と前記状態情報とに基づいて、当該タグ情報と当該状態情報とに対応付けられている対応情報を取得する対応情報取得手段と、
を実現させるためのプログラム。
【請求項９】
タグ情報を有するタグと、
前記タグから前記タグ情報を読み取るタグ情報読取部と、前記タグ情報読取部が前記タグ情報を読み取った際の自装置の状態を示す状態情報を取得する状態情報取得部と、前記タグ情報と前記状態情報とに基づいて、当該タグ情報と当該状態情報とに対応付けられている対応情報を取得する対応情報取得部と、を有する情報取得装置と、
を有する
情報取得システム。
【請求項１０】
タグ情報と当該タグ情報を読み取った際の情報処理装置の状態を示す状態情報とに対応付けて対応情報を記憶する対応情報記憶部と、
前記タグ情報と前記状態情報とを受信する受信部と、
前記受信部が受信した前記タグ情報と前記状態情報とに対応付けて前記対応情報記憶部に記憶されている前記対応情報を送信する送信部と、
を有する
サーバ装置。
【発明の詳細な説明】
【技術分野】
【０００１】
本発明は、情報取得装置、情報取得方法、プログラム、情報取得システム、サーバ装置に関し、特に、１つのタグ情報から複数の情報を取得可能な情報取得装置、情報取得方法、プログラム、情報取得システム、サーバ装置に関する。
【背景技術】
【０００２】
バーコードやＱＲコード（登録商標）、ＲＦＩＤ（radio frequency identifier）タグ、ビーコンなどの様々なタグが知られている。バーコードは、縦縞模様の線の太さによって情報を示しており、例えば赤外線を照射し反射光を測定することで、当該バーコードから情報を読み取るタグである。また、ＲＦＩＤタグは、近距離無線通信を利用して情報の送受信を行うことで当該ＲＦＩＤタグから情報を読み取ることが可能なタグである。
【０００３】
上記ＲＦＩＤタグのような近距離の無線通信を利用する技術の一つとして、特許文献１がある。特許文献１には、スマートフォンと印刷装置とをＮＦＣ（Near field communication）通信で接続し印刷設定を行う技術が記載されている。具体的には、特許文献１によると、スマートフォンは、近距離通信部と近接情報取得部と方位情報取得部と加速度取得部とを含んでいる。また、印刷装置は、近距離通信部を含んでいる。このような構成により、スマートフォンは、近接情報取得部と方位情報取得部と加速度取得部とのいずれかもしくはそれらの組み合わせにより、スマートフォンの姿勢情報を算出する。また、スマートフォンの近距離通信部と印刷装置の近距離通信部とにより、スマートフォンと印刷装置との間で通信を確立する。そして、スマートフォンは、算出した姿勢情報により印刷装置に対する印刷設定を行う。特許文献１によると、上記のようにスマートフォンの姿勢情報により印刷装置に対する印刷設定を行うことで、直観的に印刷設定を行うことが可能となる。
【先行技術文献】
【特許文献】
【０００４】
【特許文献１】特開２０１４−１８６６７９号公報
【発明の概要】
【発明が解決しようとする課題】
【０００５】
上述したようなタグの場合、１つのタグが１つの情報を表している場合がある。このような場合において、例えば特許文献１に記載されているようなＮＦＣ通信を用いてタグから情報を読み取ろうとすると、１つのタグから読み取ることが可能な情報は１つに限られることになる。その結果、１つのタグから取得可能な情報が１つに限られてしまうという問題があった。このように、１つのタグ情報から取得可能な情報が限られてしまう場合がある、という問題が生じていた。
【０００６】
そこで、本発明の目的は、１つのタグ情報から取得可能な情報が限られてしまう場合がある、という問題を解決する情報取得装置を提供することにある。
【課題を解決するための手段】
【０００７】
かかる目的を達成するため本発明の一形態である情報取得装置は、
タグが有するタグ情報を読み取るタグ情報読取部と、
前記タグ情報読取部が前記タグ情報を読み取った際の自装置の状態を示す状態情報を取得する状態情報取得部と、
前記タグ情報と前記状態情報とに基づいて、当該タグ情報と当該状態情報とに対応付けられている対応情報を取得する対応情報取得部と、
を有する
という構成を採る。
【０００８】
また、本発明の他の形態の一つである情報取得方法は、
タグが有するタグ情報を読み取り、
前記タグ情報を読み取った際の自装置の状態を示す状態情報を取得し、
前記タグ情報と前記状態情報とに基づいて、当該タグ情報と当該状態情報とに対応付けられている対応情報を取得する
という構成を採る。
【０００９】
また、本発明の他の形態の一つであるプログラムは、
情報処理装置に、
タグが有するタグ情報を読み取るタグ情報読取手段と、
前記タグ情報読取手段が前記タグ情報を読み取った際の自装置の状態を示す状態情報を取得する状態情報取得手段と、
前記タグ情報と前記状態情報とに基づいて、当該タグ情報と当該状態情報とに対応付けられている対応情報を取得する対応情報取得手段と、
を実現させるためのプログラムである。
【００１０】
また、本発明の他の形態の一つである情報取得システムは、
タグ情報を有するタグと、
前記タグから前記タグ情報を読み取るタグ情報読取部と、前記タグ情報読取部が前記タグ情報を読み取った際の自装置の状態を示す状態情報を取得する状態情報取得部と、前記タグ情報と前記状態情報とに基づいて、当該タグ情報と当該状態情報とに対応付けられている対応情報を取得する対応情報取得部と、を有する情報取得装置と、
を有する
という構成を採る。
【００１１】
また、本発明の他の形態の一つであるサーバ装置は、
タグ情報と当該タグ情報を読み取った際の情報処理装置の状態を示す状態情報とに対応付けて対応情報を記憶する対応情報記憶部と、
前記タグ情報と前記状態情報とを受信する受信部と、
前記受信部が受信した前記タグ情報と前記状態情報とに対応付けて前記対応情報記憶部に記憶されている前記対応情報を送信する送信部と、
を有する
という構成を採る。
【発明の効果】
【００１２】
本発明は、以上のように構成されることにより、１つのタグ情報から取得可能な情報が限られてしまう場合がある、という問題を解決する情報取得装置を提供することが出来る。
【図面の簡単な説明】
【００１３】
【図１】本発明の第１の実施形態に係る情報取得システムの全体の構成の一例を示すブロック図である。
【図２】図１で示すコンテンツ情報管理テーブルに含まれる情報の一例を示す図である。
【図３】図１で示す格納コンテンツ情報に含まれる情報の一例を示す図である。
【図４】本発明の第１の実施形態に係る情報取得システムの動作の一例を示すシーケンス図である。
【図５】本発明の第２の実施形態に係る情報取得装置の構成の一例を示すブロック図である。
【図６】本発明の第２の実施形態に係る情報取得システムの構成の一例を示すブロック図である。
【図７】本発明の第２の実施形態に係るサーバ装置の構成の一例を示すブロック図である。
【発明を実施するための形態】
【００１４】
［第１の実施形態］
本発明の第１の実施形態に係る情報取得システム１について、図１乃至図４を参照して説明する。図１は、情報取得システム１の全体の構成の一例を示すブロック図である。図２は、コンテンツ情報管理テーブル４３１に含まれる情報の一例を示す図である。図３は、格納コンテンツ情報４３２に含まれる情報の一例を示す図である。図４は、情報取得システム１の動作の一例を示すシーケンス図である。
【００１５】
本発明の第１の実施形態では、タグ装置２から読み取ったタグ情報２１に基づいて、サーバ装置４からコンテンツ情報を取得する情報取得システム１について説明する。後述するように、本実施形態における情報取得装置３は、タグ装置２からタグ情報２１を取得するとともに、当該タグ装置２からタグ情報２１を読み取った際の自装置（情報取得装置３）の状態を示す状態情報を取得する。そして、情報取得装置３は、タグ情報２１と状態情報とに基づいて、サーバ装置４から対応するコンテンツ情報を取得する。このように構成することで、情報取得システム１は、一つのタグ情報から複数のコンテンツ情報を取得することが出来る。
【００１６】
図１を参照すると、本実施形態における情報取得システム１は、タグ装置２（タグ）と、情報取得装置３と、サーバ装置４と、を有している。
【００１７】
タグ装置２は、ＲＦＩＤタグ（ＩＣタグ）などの電子タグである。タグ装置２は、サーバ装置４からコンテンツ情報を取得する際に利用される。図１を参照すると、タグ装置２は、タグ情報２１とタグ情報送信部２２とを有している。
【００１８】
タグ情報２１は、サーバ装置４からコンテンツ情報を取得する際にキーとなる情報である。タグ情報２１は、例えば、ＩＤ（identification）情報などを示している。タグ情報２１は、例えば、タグ装置２が有する図示しない記憶装置に格納されている。
【００１９】
タグ情報送信部２２は、電波などを介してタグ情報２１を発信する。タグ情報送信部２２は図示しないアンテナ部を有しており、当該アンテナ部を介してタグ情報２１を発信する。タグ情報送信部２２は、反射波を利用してタグ情報２１を発信するよう構成されても構わないし、自らの電力で電波を発信するよう構成しても構わない。
【００２０】
このように、タグ装置２は、タグ情報２１とタグ情報送信部２２とを有しており、情報取得装置３に対してタグ情報２１を発信（送信）可能なよう構成されている。
【００２１】
情報取得装置３は、携帯電話やスマートフォン、ＲＦＩＤ読取装置などの情報処理端末である。情報取得装置３は、タグ装置２からタグ情報２１を読み取るとともに、タグ情報２１を読み取った際の自装置の状態を示す状態情報を取得する。具体的には、例えば、情報取得装置３は、タグ情報２１を読み取った際の自装置の姿勢を示す姿勢情報を取得する。そして、情報取得装置３は、タグ情報２１と状態情報（例えば、姿勢情報）とを用いて、サーバ装置４からコンテンツ情報を取得する。
【００２２】
図１を参照すると、情報取得装置３は、例えば、タグ情報読取部３１（タグ情報読取手段）と、状態情報検出部３２（状態情報取得部、状態情報取得手段）と、制御部３３と、通信部３４（対応情報取得部、対応情報取得手段、送信部）と、コンテンツ情報表示部３５と、を有している。情報取得装置３は、図示しない中央演算装置（ＣＰＵ：Central Processing Unit）と記憶装置とを有しており、記憶装置が記憶するプログラムをＣＰＵが実行することで、上記各部を実現する。
【００２３】
タグ情報読取部３１は、タグ装置２からタグ情報２１を読み取る。タグ情報読取部３１は、例えば、ＲＦＩＤリーダ機能やＢＬＥ（Bluetooth Low Energy）受信機能（Bluetooth：登録商標）などを有しており、当該機能を利用してタグ装置２からタグ情報２１を読み取る。
【００２４】
なお、タグ情報読取部３１は、例えば、タグ装置２の近接を検知する近接センサを含むことが出来る。近接センサを有することで、例えば、近接センサがタグ装置２の近接を検知した際に自動でタグ装置２からタグ情報２１を読み取るようタグ情報読取部３１を構成することが出来る。タグ情報読取部３１は、情報取得装置３を利用するユーザからの指示に応じて、タグ装置２からタグ情報２１を読み取るよう構成しても構わない。
【００２５】
状態情報検出部３２は、タグ装置２からタグ情報２１を読み取った際の情報取得装置３の状態を示す状態情報を検出する。例えば、状態情報検出部３２は、角速度を検知するジャイロセンサや３軸加速度センサ、地磁気を検出する磁気センサなどを有している。本実施形態における状態情報検出部３２は、上記各種センサを利用することで、タグ装置２からタグ情報２１を読み取った際の情報取得装置３の姿勢を示す姿勢情報を上記状態情報として検出する。
【００２６】
具体的には、状態情報検出部３２は、磁気センサを用いることで、タグ装置２からタグ情報２１を読み取った際に情報取得装置３が向いている方角を示す情報を姿勢情報として検出する。また、状態情報検出部３２は、３軸加速度センサを用いることで、タグ装置２からタグ情報２１を読み取った際の情報取得端末３の回転方向を示す情報を姿勢情報として検出する。また、状態情報検出部３２は、上記磁気センサと３軸加速度センサとを組み合わせて姿勢情報を検出する。このように、状態情報検出部３２は、例えば、情報取得端末３のみによって定まる絶対的姿勢情報を姿勢情報として取得する。
【００２７】
制御部３３は、情報取得装置３の全体の制御を行う。例えば、制御部３３は、タグ情報読取部３１がタグ情報２１を読み取ると、タグ情報２１と状態情報とを含むコンテンツ情報取得要求をサーバ装置４に対して送信するよう通信部３４に対して指示する。また、制御部３３は、サーバ装置４から通信部３４がコンテンツ情報を受信すると、当該コンテンツ情報を図示しない表示装置に表示するようコンテンツ情報表示部３５に対して指示する。
【００２８】
通信部３４は、サーバ装置４と通信を行う。通信部３４は、例えば図示しないアンテナ部を有しており、当該アンテナ部を介して無線通信によりサーバ装置４と通信を行う。通信部３４は、制御部３３の制御に基づいて、タグ情報２１と当該タグ情報２１を読み取った際の情報取得装置３の状態を示す状態情報（例えば、姿勢情報）とを含むコンテンツ情報取得要求をサーバ装置４に対して送信する。また、通信部３４は、送信したタグ情報２１と状態情報とに対応付けられているコンテンツ情報をサーバ装置４から受信する。なお、通信部３４は、有線により接続されたサーバ装置４と通信を行うことが出来るよう構成しても構わない。
【００２９】
コンテンツ情報表示部３５は、サーバ装置４から受信したコンテンツ情報を表示する。コンテンツ情報表示部３５は、図示しない表示装置と接続されており、当該表示装置にコンテンツ情報を表示する。
【００３０】
このように、情報取得装置３は、タグ装置２からタグ情報２１を読み取るとともに、タグ情報２１を読み取った際の情報取得装置３の状態を示す状態情報を取得する。そして、情報取得装置３は、取得したタグ情報２１と状態情報とをサーバ装置４に対して送信することで、サーバ装置４から対応するコンテンツ情報を取得する。その後、情報取得装置３は、取得したコンテンツ情報を表示する。
【００３１】
サーバ装置４は、コンテンツ情報を記憶しており、情報取得装置３から受信したコンテンツ情報取得要求に含まれるタグ情報２１と状態情報とに応じて、対応するコンテンツ情報を当該情報取得装置３に対して送信する。なお、コンテンツ情報とは、テキスト情報や画像、動画、その他のデータ、あるいはプログラム、またはそれらの組み合わせのことをいう。
【００３２】
図１を参照すると、サーバ装置４は、通信部４１（受信部、送信部）と、コンテンツ情報取得部４２と、を有している。また、サーバ装置４は、記憶装置４３（対応情報記憶部）を有しており、当該記憶装置４３にコンテンツ情報管理テーブル４３１と格納コンテンツ情報４３２とを記憶している。サーバ装置４は、図示しない中央演算装置（ＣＰＵ）を有しており、記憶装置４３が記憶するプログラムをＣＰＵが実行することで、上記各部を実現する。
【００３３】
通信部４１は、情報取得装置３と通信を行う。通信部４１は、例えば図示しないアンテナ部を有しており、当該アンテナ部を介して無線通信により情報取得装置３と通信を行う。例えば、通信部４１は、タグ情報２１と状態情報とを含むコンテンツ情報取得要求を情報取得装置３から受信する。また、通信部４１は、受信したコンテンツ情報取得要求に含まれるタグ情報２１と状態情報とに対応するコンテンツ情報を情報取得装置３に対して送信する。なお、通信部４１は、有線により接続された情報取得装置３と通信を行うことが出来るよう構成しても構わない。
【００３４】
コンテンツ情報取得部４２は、通信部４１が受信したコンテンツ情報取得要求に基づいて、記憶装置４３からコンテンツ情報を取得する。具体的には、コンテンツ情報取得部４２は、通信部４１がコンテンツ情報取得要求を受信すると、当該コンテンツ情報取得要求に含まれるタグ情報２１と状態情報とに対応付けられて記憶されているコンテンツ情報識別子を、コンテンツ情報管理テーブル４３１を参照して取得する。続いて、コンテンツ情報取得部４２は、格納コンテンツ情報４３２を参照して、取得したコンテンツ情報識別子と対応するコンテンツ情報を取得する。コンテンツ情報取得部４２は、例えばこのようにして受信したコンテンツ情報取得要求に応じたコンテンツ情報を取得する。上記のように、コンテンツ情報取得部４２が取得したコンテンツ情報は、通信部４１を介して情報取得装置３へと送信されることになる。
【００３５】
記憶装置４３は、半導体メモリやハードディスクなどの記憶装置である。記憶装置４３には、コンテンツ情報管理テーブル４３１と格納コンテンツ情報４３２とが記憶されている。
【００３６】
図２は、コンテンツ情報管理テーブル４３１に含まれる情報の一例を示している。図２を参照すると、コンテンツ情報管理テーブル４３１は、タグ情報２１と状態情報（姿勢情報）とコンテンツ情報識別子とを対応づけている。例えば、図２の１行目は、タグ情報「000001」と状態情報「north」とコンテンツ情報識別子「file1_north.html」とが対応付けられていることを示している。また、図２の２行目は、タグ情報「000001」と状態情報「west」とコンテンツ情報識別子「file1_west.html」とが対応付けられていることが示している。このように、コンテンツ情報管理テーブル４３１では、同一のタグ情報であっても状態情報が異なる場合、異なるコンテンツ情報識別子が対応づけられている。
【００３７】
図３は、格納コンテンツ情報４３２に含まれる情報の一例を示している。図３を参照すると、格納コンテンツ情報４３２は、コンテンツ情報識別子とコンテンツ情報とを対応付けている。例えば、図２の１行目は、コンテンツ情報識別子「file_north.html」とコンテンツ情報「Ａ」とが対応づけられていることを示している。
【００３８】
このように、サーバ装置４はコンテンツ情報を記憶しており、情報取得装置３から受信したタグ情報と姿勢情報とに応じて、対応するコンテンツ情報を送信する。
【００３９】
以上が、第１の実施形態における情報取得システム１の構成の一例についての説明である。次に、図４を参照して情報取得システム１の動作の一例について説明する。
【００４０】
図４を参照すると、情報取得装置３のタグ情報読取部３１は、タグ装置２からタグ情報２１を読み取る（ステップＳ１０１）。例えば、タグ情報読取部３１は、近接センサがタグ装置２の近接を検知することで、タグ装置２からタグ情報２１を読み取る。又は、タグ情報読取部３１は、当該情報取得装置３を利用するユーザからの指示に応じて、タグ装置２からタグ情報２１を読み取る。
【００４１】
また、情報取得装置３の状態情報検出部３２は、タグ装置２からタグ情報２１を読み取った際の情報取得装置３の状態を示す状態情報を検出する（ステップＳ１０２）。例えば、状態情報検出部３２は、状態情報として、タグ装置２からタグ情報２１を読み取った際の情報取得装置３の姿勢を示す姿勢情報を検出する。
【００４２】
そして、情報取得装置３は、取得したタグ情報２１と、当該タグ情報２１を読み取った際の情報取得装置３の状態を示す状態情報と、を含むコンテンツ情報取得要求をサーバ装置４に対して送信する（ステップＳ１０３）。
【００４３】
サーバ装置４は、情報取得装置３が送信したコンテンツ情報取得要求を受信する。すると、サーバ装置４のコンテンツ情報取得部４２は、受信したコンテンツ情報取得要求に含まれるタグ情報２１と状態情報とをキーとして、コンテンツ情報管理テーブル４３１から対応するコンテンツ情報識別子を取得する。このように、サーバ装置４は、コンテンツ情報取得要求を受信すると、コンテンツ情報管理テーブル４３１を参照してコンテンツ情報取得要求が要求するコンテンツ情報を特定する（ステップＳ２０１）。
【００４４】
続いて、サーバ装置４のコンテンツ情報取得部４２は、格納コンテンツ情報４３２から該当するコンテンツ情報を取得する（ステップＳ２０２）。そして、サーバ装置４は、取得したコンテンツ情報を情報取得装置３に対して通信部４１を介して送信する（ステップＳ２０３）。
【００４５】
情報取得装置３は、サーバ装置４からコンテンツ情報を受信する。すると、情報取得装置３のコンテンツ情報表示部３５は、表示装置に受信したコンテンツ情報を表示する（ステップＳ１０４）。
【００４６】
情報取得システム１は例えば上記のような動作により、サーバ装置４からコンテンツ情報を取得して表示装置に表示する。
【００４７】
このように、本実施形態における情報取得システム１は、情報取得装置３がタグ情報読取部３１を有するとともに、状態情報検出部３２を有している。また、サーバ装置４のコンテンツ情報管理テーブル４３１には、タグ情報２１と状態情報とコンテンツ情報識別子とを対応付けて記憶している。このような構成により、情報取得装置３は、タグ情報２１を読み取るとともに、状態情報を検出することが出来る。また、情報取得装置３は、タグ情報２１と状態情報とを含むコンテンツ情報取得要求をサーバ装置４に対して送信することが出来る。そして、サーバ装置４は、タグ情報２１と状態情報とに基づいて対応するコンテンツ情報を特定して送信することが出来る。これにより、情報取得装置３は、タグ情報２１と状態情報とに応じたコンテンツ情報を取得することが出来る。その結果、情報取得システム１は、１つのタグ情報から複数種類のコンテンツ情報を取得することが可能となる。
【００４８】
また、状態情報は、情報取得装置３の向きなどを調整することで、当該情報取得装置３を利用するユーザにより容易に調整することが出来る。そのため、本実施形態によると、タグ装置２の用途を、情報取得装置３の利用者であるユーザが選択することが出来る。つまり、情報取得装置３のユーザは、１つのタグ情報と対応付けられている複数のコンテンツ情報のうち取得を希望するコンテンツ情報のみを容易に取得することが出来る。
【００４９】
なお、本実施形態においては、情報取得システム１は、ＲＦＩＤタグなどのタグ装置２からタグ情報２１を読み取るとした。しかしながら、情報取得システム１は、ＱＲコードなどの２次元コードやバーコードなどが印刷された紙媒体などの情報媒体からタグ情報２１を読み取るよう構成しても構わない。この場合、タグ情報２を有する情報媒体は、タグ情報送信部２２に相当する構成を有していなくても構わない。
【００５０】
また、タグ情報２１が示す情報はＩＤ（identification）情報に限定されない。タグ情報２１は、例えば、ＵＲＬ（Uniform Resource Locator）などを示していても構わない。
【００５１】
また、本実施形態においては、情報取得装置３はサーバ装置４からコンテンツ情報を取得するとした。しかしながら、情報取得装置３は、自身でサーバ装置４の記憶装置４３に相当する構成を有しており、自身が有する記憶装置４３に相当する構成からコンテンツ情報を取得するよう構成しても構わない。
【００５２】
また、タグ情報読取部３１は、上記ＱＲコードなどの２次元コードやバーコードなどが印刷された紙媒体などの情報媒体からタグ情報２１を読み取ることが出来るよう構成することが出来る。つまり、タグ情報読取部３１は、カメラや赤外線検出器としての機能を有しており、カメラによるＱＲコードの読み取りや照射した赤外線の反射光の検出などによりタグ情報２１を読み取るよう構成することが出来る。タグ情報読取部３１は、例えばＲＦＩＤタグからタグ情報２１を読み取る機能のみを有していても構わないし、ＲＦＩＤタグからタグ情報２１を読み取る機能とカメラによりＱＲコードやバーコードを読み取る機能など複数の機能を有していても構わない。
【００５３】
また、状態情報検出部３２は、姿勢情報以外の状態情報を検出するよう構成することが出来る。例えば、状態情報検出部３２は、タグ装置２からの離れ具合を示す情報を状態情報として検出するよう構成することが出来る。タグ装置２からの離れ具合は、例えば、カメラにより写したＱＲコードの大きさなどにより判別することが出来る。
【００５４】
また、状態情報検出部３２は、絶対的姿勢情報の代わりに、又は絶対的姿勢情報の検出とともに、相対的姿勢情報を検出するよう構成することが出来る。相対的姿勢情報は、タグ装置２に対して情報取得装置３がどのような方向を向いているかを示す情報である。相対的姿勢情報は、例えば、情報取得装置３のカメラでＱＲコードを読み取った際のＱＲコードの向き（例えば上、下、右、左）により判別することが出来る。
【００５５】
また、状態情報検出部３２は、タグ情報２１を読み取った際の情報取得装置３の姿勢の変化を示す姿勢変化情報を取得するよう構成することが出来る。例えば、状態情報検出部３２は、タグ装置２からタグ情報２１を読み取ってから数秒間以内（予め定められた時間以内）の情報取得装置３の姿勢の変化を検出する。具体的には、例えば、タグ情報２１を読み取ってから予め定められた時間以内に、情報取得装置３の向きが北向きから東向きに変化したとする。この場合、状態情報検出部３２は、情報取得装置３の向きが北向きから東向きに変化した旨を示す状態情報を検出することになる。このように姿勢の変化を含む姿勢情報を用いることで、１つのタグ情報からより多くの種類のコンテンツ情報を取得することが可能となる。なお、状態情報検出部３２は、タグ情報２１を読み取った際の情報取得装置３の状態の変化を示す状態変化情報を取得するよう構成しても構わない。
【００５６】
［第２の実施形態］
本発明の第２の実施形態について、図５乃至７を参照して説明する。図５は、情報取得装置５の構成の一例を示すブロック図である。図６は、情報取得システム６の構成の一例を示すブロック図である。図７は、サーバ装置９の構成の一例を示すブロック図である。
【００５７】
図５を参照すると、本実施形態における情報取得装置５は、タグ情報読取部５１と状態情報取得部５２と対応情報取得部５３とを有している。
【００５８】
タグ情報読取部５１は、タグ情報を有するタグから当該タグ情報を読み取る。また、状態情報取得部５２は、タグ情報読取部５１がタグ情報を読み取った際の自装置の状態を示す状態情報を取得する。また、対応情報取得部５３は、タグ情報と状態情報とに基づいて、当該タグ情報と当該状態情報とに対応付けられている対応情報を取得する。
【００５９】
このように、本実施形態における情報取得装置５は、タグ情報読取部５１と状態情報取得部５２と対応情報取得部５３とを有している。このような構成により、情報取得装置５は、タグ情報を読み取るとともに、状態情報を取得することが出来る。また、対応情報取得部５３は、タグ情報と状態情報とに基づいて、当該タグ情報と当該状態情報とに対応付けられている対応情報を取得することが出来る。このように本実施形態における情報取得装置５は、タグ情報と状態情報とに基づいて、タグ情報と状態情報とに対応する対応情報を取得する。これにより、情報取得装置５は、１つのタグ情報から複数種類のコンテンツ情報を取得することが出来る。
【００６０】
また、上記情報取得装置５は、当該情報取得装置５に所定のプログラムが組み込まれることで実現できる。具体的に、本発明の他の形態であるプログラムは、情報処理装置に、タグが有するタグ情報を読み取るタグ情報読取手段と、タグ情報読取手段がタグ情報を読み取った際の自装置の状態を示す状態情報を取得する状態情報取得手段と、タグ情報と状態情報とに基づいて、当該タグ情報と当該状態情報とに対応付けられている対応情報を取得する対応情報取得手段と、を実現させるためのプログラムである。
【００６１】
また、上述した情報取得装置５が作動することにより実行される情報取得方法は、タグが有するタグ情報を読み取り、タグ情報を読み取った際の自装置の状態を示す状態情報を取得し、タグ情報と状態情報とに基づいて、当該タグ情報と当該状態情報とに対応付けられている対応情報を取得する、という方法である。
【００６２】
上述した構成を有する、プログラム、又は、情報取得方法、の発明であっても、上記情報取得装置５と同様の作用を有するために、上述した本発明の目的を達成することが出来る。
【００６３】
また、本発明の目的は、本発明の他の形態である情報取得システム６によっても達成することが出来る。図６を参照すると、情報取得システム６は、タグ７と、情報取得装置８と、を有している。
【００６４】
タグ７は、タグ情報を有する。
【００６５】
情報取得装置８は、タグ情報読取部８１と状態情報取得部８２と対応情報取得部８３とを有している。タグ情報読取部８１は、タグ７からタグ情報を読み取る。また、状態情報取得部８２は、タグ情報読取部８１がタグ情報を読み取った際の自装置の状態を示す状態情報を取得する。また、対応情報取得部８３は、タグ情報と状態情報とに基づいて、当該タグ情報と当該状態情報とに対応付けられている対応情報を取得する。
【００６６】
このように、本実施形態における情報取得システム６は、タグ７と、情報取得装置８と、を有している。また、情報取得装置８は、タグ情報読取部８１と状態情報取得部８２と対応情報取得部８３とを有している。このような構成によっても、本発明の目的を達成することが出来る。
【００６７】
また、本発明の目的は、本発明の他の形態であるサーバ装置９によっても達成することが出来る。図７を参照すると、サーバ装置９は、対応情報記憶部９１と受信部９２と送信部９３とを有している。
【００６８】
対応情報記憶部９１は、タグ情報とタグ情報を読み取った際の情報処理装置の状態を示す状態情報とに対応付けて対応情報を記憶する。また、受信部９２は、タグ情報と状態情報とを受信する。また、送信部９３は、受信部９２が受信したタグ情報と状態情報とに対応付けて対応情報記憶部９１に記憶されている対応情報を取得して送信する。
【００６９】
このように、本実施形態におけるサーバ装置９は、対応情報記憶部９１と受信部９２と送信部９３とを有している。このような構成により、サーバ装置９は、受信したタグ情報と状態情報とに対応付けて記憶されている対応情報を送信することが出来る。このような構成によっても、本発明の目的を達成することが出来る。
【００７０】
＜付記＞
上記実施形態の一部又は全部は、以下の付記のようにも記載されうる。以下、本発明における情報取得装置などの概略を説明する。但し、本発明は、以下の構成に限定されない。
【００７１】
（付記１）
タグが有するタグ情報を読み取るタグ情報読取部と、
前記タグ情報読取部が前記タグ情報を読み取った際の自装置の状態を示す状態情報を取得する状態情報取得部と、
前記タグ情報と前記状態情報とに基づいて、当該タグ情報と当該状態情報とに対応付けられている対応情報を取得する対応情報取得部と、
を有する
情報取得装置。
【００７２】
（付記２）
付記１に記載の情報取得装置であって、
前記状態情報取得部は、前記状態情報として、前記タグ情報読取部が前記タグ情報を読み取った際の自装置の姿勢を示す姿勢情報を取得し、
前記対応情報取得部は、前記タグ情報と前記姿勢情報とに基づいて、当該タグ情報と当該姿勢情報とに対応付けられている前記対応情報を取得する
情報取得装置。
【００７３】
（付記３）
付記２に記載の情報取得装置であって、
前記状態情報取得部は、前記姿勢情報として、前記タグに対する自装置の向きを示す情報である相対的姿勢情報を取得する
情報取得装置。
【００７４】
（付記４）
付記２又は３に記載の情報取得装置であって、
前記状態情報取得部は、前記姿勢情報として、自装置のみによって定まる絶対的姿勢情報を取得する
情報取得装置。
【００７５】
（付記５）
付記２乃至４の何れかに記載の情報取得装置であって、
前記状態情報取得部は、前記姿勢情報として、前記取得対象から前記タグ情報を読み取った際の自装置の姿勢の変化を示す姿勢変化情報を取得する
情報取得装置。
【００７６】
（付記６）
付記１乃至５の何れかに記載の情報取得装置であって、
前記タグ情報と前記状態情報とを外部装置に送信する送信部を有し、
前記対応情報取得部は、前記外部装置から、前記タグ情報と前記状態情報とに対応付けられている前記対応情報を取得する
情報取得装置。
【００７７】
（付記７）
タグが有するタグ情報を読み取り、
前記タグ情報を読み取った際の自装置の状態を示す状態情報を取得し、
前記タグ情報と前記状態情報とに基づいて、当該タグ情報と当該状態情報とに対応付けられている対応情報を取得する
情報取得方法。
【００７８】
（付記７−１）
付記７に記載の情報取得方法であって、
前記状態情報として、前記タグ情報を読み取った際の自装置の姿勢を示す姿勢情報を取得し、
前記タグ情報と前記姿勢情報とに基づいて、当該タグ情報と当該姿勢情報とに対応付けられている前記対応情報を取得する
情報取得方法。
【００７９】
（付記８）
情報処理装置に、
タグが有するタグ情報を読み取るタグ情報読取手段と、
前記タグ情報読取手段が前記タグ情報を読み取った際の自装置の状態を示す状態情報を取得する状態情報取得手段と、
前記タグ情報と前記状態情報とに基づいて、当該タグ情報と当該状態情報とに対応付けられている対応情報を取得する対応情報取得手段と、
を実現させるためのプログラム。
【００８０】
（付記８−１）
付記８に記載のプログラムであって、
前記状態情報取得手段は、前記状態情報として、前記タグ情報読取手段が前記タグ情報を読み取った際の自装置の姿勢を示す姿勢情報を取得し、
前記対応情報取得手段は、前記タグ情報と前記姿勢情報とに基づいて、当該タグ情報と当該姿勢情報とに対応付けられている前記対応情報を取得するプログラム。
【００８１】
（付記９）
タグ情報を有するタグと、
前記タグから前記タグ情報を読み取るタグ情報読取部と、前記タグ情報読取部が前記タグ情報を読み取った際の自装置の状態を示す状態情報を取得する状態情報取得部と、前記タグ情報と前記状態情報とに基づいて、当該タグ情報と当該状態情報とに対応付けられている対応情報を取得する対応情報取得部と、を有する情報取得装置と、
を有する
情報取得システム。
【００８２】
（付記９−１）
付記９に記載の情報取得システムであって、
前記タグ情報と前記状態情報とに対応付けて前記対応情報を記憶する対応情報記憶部を有するサーバ装置を有し、
前記情報取得装置は、前記タグ情報と前記状態情報とを前記サーバ装置に送信する送信部を有し、
前記対応情報取得部は、前記サーバ装置から、前記タグ情報と前記状態情報とに対応付けて記憶されている前記対応情報を取得する
情報取得システム。
【００８３】
（付記９−２）
付記９又は９−１に記載の情報取得システムであって、
前記対応情報記憶部は、前記タグ情報と当該タグ情報を読み取った際の前記情報取得装置の姿勢を示す姿勢情報とに対応付けて前記対応情報を記憶しており、
前記状態情報取得部は、前記状態情報として、前記タグ情報読取部が前記タグ情報を読み取った際の自装置の姿勢を示す姿勢情報を取得し、
前記対応情報取得部は、前記タグ情報と前記姿勢情報とに基づいて、当該タグ情報と当該姿勢情報とに対応付けられている前記対応情報を取得する
情報取得システム。
【００８４】
（付記１０）
タグ情報と当該タグ情報を読み取った際の情報処理装置の状態を示す状態情報とに対応付けて対応情報を記憶する対応情報記憶部と、
前記タグ情報と前記状態情報とを受信する受信部と、
前記受信部が受信した前記タグ情報と前記状態情報とに対応付けて前記対応情報記憶部に記憶されている前記対応情報を送信する送信部と、
を有する
サーバ装置。
【００８５】
なお、上記各実施形態及び付記において記載したプログラムは、記憶装置に記憶されていたり、コンピュータが読み取り可能な記録媒体に記録されていたりする。例えば、記録媒体は、フレキシブルディスク、光ディスク、光磁気ディスク、及び、半導体メモリ等の可搬性を有する媒体である。
【００８６】
以上、上記各実施形態を参照して本願発明を説明したが、本願発明は、上述した実施形態に限定されるものではない。本願発明の構成や詳細には、本願発明の範囲内で当業者が理解しうる様々な変更をすることが出来る。
【符号の説明】
【００８７】
１  情報取得システム
２  タグ装置
２１  タグ情報
２２  タグ情報送信部
３  情報取得装置
３１  タグ情報読取部
３２  状態情報検出部
３３  制御部
３４  通信部
３５  コンテンツ情報表示部
４  サーバ装置
４１  通信部
４２  コンテンツ情報取得部
４３  記憶装置
４３１  コンテンツ情報管理テーブル
４３２  格納コンテンツ情報
５  情報取得装置
５１  タグ情報読取部
５２  状態情報取得部
５３  対応情報取得部
６  情報取得システム
７  タグ
７１  タグ情報
８  情報取得装置
８１  タグ情報読取部
８２  状態情報取得部
８３  対応情報取得部
９  サーバ装置
９１  対応情報記憶部
９２  受信部
９３  送信部
【図１】
2017117077.tif 000003
【図２】
2017117077.tif 000004
【図３】
2017117077.tif 000005
【図４】
2017117077.tif 000006
【図５】
2017117077.tif 000007
【図６】
2017117077.tif 000008
【図７】
2017117077.tif 000009